(57)【要約】【課題】遠方から近傍までの観察者に対して高い広告効果を得ることが可能な表示装置を提供する。【解決手段】構成要素の大きさの異なる表示画像を表示可能なディスプレイ１と、ディスプレイ１の前方に存在する対象物とディスプレイ１との距離情報を含む対象物情報を検出する赤外線センサー群３と、赤外線センサー群３により検出された前記対象物情報に応じて、前記対象物によりさえぎられた前記表示画面上の領域に表示していた表示画像を、該領域を回避して別の領域に移動し表示するフレームメモリコントローラ５と、を具備する。【選択図】  図１
2004294637.tif 000002
【特許請求の範囲】
【請求項１】
表示画像をその画像サイズ又はその表示位置の少なくとも何れか一方を異ならしめて表示可能な表示画面を有する表示器と、
該表示画面の前方に存在する対象物と該表示画面との距離情報を含む対象物情報を検出する検出手段と、
該検出手段により検出された前記対象物情報に応じて、前記対象物によりさえぎられた前記表示画面内の領域に表示していた表示画像を、該領域以外の別の領域に表示するために該表示画像の移動又は拡大或いは縮小の少なくとも何れか一方を行う変更手段と、
を具備することを特徴とする表示装置。
【請求項２】
表示画像をその画像サイズ又はその表示位置の少なくとも何れか一方を異ならしめて表示可能な表示画面を有する表示器と、
該表示画面の前方に存在する対象物と該表示画面との距離情報を含む対象物情報を検出する検出手段と、
該検出手段により検出された前記対象物情報に応じて、先に表示していた表示画像を前記対象物によりさえぎられた前記表示画面内の領域に表示するために該表示画像の移動又は縮小の少なくとも何れか一方を行う変更手段と、
を具備することを特徴とする表示装置。
【請求項３】
表示器の表示画面に、表示画像をその画像サイズ又はその表示位置の少なくとも何れか一方を異ならしめて表示可能な表示制御方法において、
該表示画面の前方に存在する対象物と該表示画面との距離情報を含む対象物情報を検出する検出工程と、
検出された前記対象物情報に応じて、前記対象物によりさえぎられた前記表示画面内の領域に表示していた表示画像を、該領域以外の別の領域に表示するために該表示画像の移動又は拡大或いは縮小の少なくとも何れか一方を行う変更工程と、
を含むことを特徴とする表示制御方法。
【請求項４】
表示器の表示画面に、表示画像をその画像サイズ又はその表示位置の少なくとも何れか一方を異ならしめて表示可能な表示制御方法において、
該表示画面の前方に存在する対象物と該表示画面との距離情報を含む対象物情報を検出する検出工程と、
検出された前記対象物情報に応じて、先に表示していた表示画像を前記対象物によりさえぎられた前記表示画面内の領域に表示するために該表示画像の移動又は縮小の少なくとも何れか一方を行う変更工程と、
を含むことを特徴とする表示制御方法。
【発明の詳細な説明】
【０００１】
【発明の属する技術分野】
本発明は広告表示用に用いられる表示装置に関し、例えば、高精細で大型な壁面ディスプレイを用いた場合に好適な表示装置及び表示制御方法に関する。
【０００２】
【従来の技術】
従来、人が集まる集合場所や待ち合わせ場所、休憩場所などに、そこに集まった人に対する宣伝広告を行うために設置された大型壁面ディスプレイが多く見られる。
【０００３】
【発明が解決しようとする課題】
しかしながら、このような大型壁面ディスプレイなどの表示装置においては、遠方からも認識が可能なインパクトのある構成要素の大きな表示内容は、接近して見た場合には構成する要素が大きすぎ意味の認識が難しく情報量が少ない場合が多い。一方、比較的近傍でも観賞に耐えうる、詳細で豊富な情報を提示可能な表示内容の場合は遠方から見た場合には画が細かく内容の認識が困難な場合が多い。さらに、詳細な画像が動く場合には一層認識が難しくなる。このため遠方の人物の注意を引くことが難しくなる。
【０００４】
本発明は上記の従来技術の課題を鑑みなされたもので、その目的とするところは、遠方から近傍までの観察者に対して高い広告効果を得ることが可能な表示装置及び表示制御方法を提供することにある。
【０００５】
【課題を解決するための手段】
上記目的を達成するための本発明は、
表示画像をその画像サイズ又はその表示位置の少なくとも何れか一方を異ならしめて表示可能な表示画面を有する表示器と、
該表示画面の前方に存在する対象物と該表示画面との距離情報を含む対象物情報を検出する検出手段と、
該検出手段により検出された前記対象物情報に応じて、前記対象物によりさえぎられた前記表示画面内の領域に表示していた表示画像を、該領域以外の別の領域に表示するために該表示画像の移動又は拡大或いは縮小の少なくとも何れか一方を行う変更手段と、
を具備することを特徴とする。
【０００６】
又、本発明は、表示画像をその画像サイズ又はその表示位置の少なくとも何れか一方を異ならしめて表示可能な表示画面を有する表示器と、
該表示画面の前方に存在する対象物と該表示画面との距離情報を含む対象物情報を検出する検出手段と、
該検出手段により検出された前記対象物情報に応じて、先に表示していた表示画像を前記対象物によりさえぎられた前記表示画面内の領域に表示するために該表示画像の移動又は縮小の少なくとも何れか一方を行う変更手段と、
を具備することを特徴とする。
【０００７】
或いは、本発明は、表示器の表示画面に、表示画像をその画像サイズ又はその表示位置の少なくとも何れか一方を異ならしめて表示可能な表示制御方法において、
該表示画面の前方に存在する対象物と該表示画面との距離情報を含む対象物情報を検出する検出工程と、
検出された前記対象物情報に応じて、前記対象物によりさえぎられた前記表示画面内の領域に表示していた表示画像を、該領域以外の別の領域に表示するために該表示画像の移動又は拡大或いは縮小の少なくとも何れか一方を行う変更工程と、
を含むことを特徴とする。
【０００８】
更に、本発明は、表示器の表示画面に、表示画像をその画像サイズ又はその表示位置の少なくとも何れか一方を異ならしめて表示可能な表示制御方法において、
該表示画面の前方に存在する対象物と該表示画面との距離情報を含む対象物情報を検出する検出工程と、
検出された前記対象物情報に応じて、先に表示していた表示画像を前記対象物によりさえぎられた前記表示画面内の領域に表示するために該表示画像の移動又は縮小の少なくとも何れか一方を行う変更工程と、
を含むことを特徴とする。
【０００９】
上記構成によれば、遠方から観察している人物に対しては、遠方からも認識が可能なインパクトのある構成要素の大きな表示画像を大きくダイナミックに表示し、表示装置に接近するように遠方で観察している人物に遠方用表示内容の画面をアピールする。そして、人物が表示装置に接近し始め、その後、表示装置前面のある程度近傍で存在していると判断された場合には、遠方用表示内容を遠方から見えるように近傍の人物などを回避して移動することができる。
【００１０】
或いは、表示装置に接近した人物を検知した場合には、その人物が視認しやすいように、人物を避けて上方に移動、拡大、縮小表示されていた表示画像を、人物によりさえぎられた表示画面内の領域に、その表示画像が移動及び／又は縮小して表示されるので、当該人物がその表示画像を認識しやすくなる。
【００１１】
前記変更手段又は前記変更工程は、前記表示画像を上方に移動可能であることが好適である。
【００１２】
上記構成によれば、遠方用の表示内容を上方に移動することで遠方からの視認性を維持しつつ、移動により空いた領域に近傍用の表示内容を表示でき遠方及び近傍の人物の両者に対して高い広告効果を発揮することができる。
【００１３】
前記検出手段又は検出工程が検出する対象物情報は、表示装置の前方の領域に対象物が存在する時間であることが好適である。
【００１４】
上記構成によれば、対象物が存在する時間を基準に遠方用の表示内容の変更が必要か否かを判断するので、例えば、対象物が単に表示装置の前面を通り過ぎる人の場合等に、無駄な表示内容の移動や変更をする必要がなくなる。
【００１５】
前記検出手段又は検出工程が検出する対象物情報は、表示装置の前方の領域に存在する対象物の数であることが好適である。
【００１６】
上記構成によれば、対象物の数を基準に遠方用の表示内容の変更が必要か否かを判断するので、例えば、対象物が一人でありそのために遠方用の表示内容を変更しても高い広告効果が得られないような場合には、無駄な表示内容の移動や変更をする必要がなくなる。
【００１７】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。また、以下の説明で一度説明した部材についての材質、形状などは、特に改めて記載しない限り初めの説明と同様のものである。
【００１８】
図１は本発明の表示装置の構成の概略を示したブロック図である。
【００１９】
１は様々な解像度の動画及び静止画等の画像情報を表示可能な大型高精細壁面表示装置、２は表示装置前面の人物が一人か複数かの判断、動きの判断の元になるビデオデータを生成する撮像装置としてのＣＣＤカメラ、３は表示装置前面の人物の距離の認識を行うための距離検出手段としての赤外線センサー群、４はＣＣＤカメラの出力をデジタルデータとするビデオデジタイザである。これら２、３、４により、表示装置１の表示画面の前方に存在する対象物と該表示画面との距離情報を含む対象物情報を検出する。
【００２０】
５は表示装置の制御信号の出力、ビデオメモリ上でのグラフィックデータの移動及び形成、画像音声符号化復号化手段の出力ビデオデータのグラフィックとの合成、ビデオデジタイザの制御及びビデオデジタイザの出力データのビデオメモリへの書き込み、ＣＰＵのビデオメモリへのアクセス制御、形状抽出手段へのデータの入出力、等を行うフレームメモリコントローラである。このフレームメモリコントローラ５が、検出された対象物情報に応じて、（１）対象物によりさえぎられた表示画面内の領域に表示していた表示画像を、該領域以外の別の領域に表示するために該表示画像の移動又は拡大の少なくとも何れか一方を行ったり、（２）先に表示していた表示画像を対象物によりさえぎられた表示画面内の領域に表示するために該表示画像の移動又は縮小の少なくとも何れか一方を行ったりする変更手段となっている。
【００２１】
６は表示装置リフレッシュのためのデータの保持、ＣＣＤカメラのデジタイズされた画像データの保持、ＣＰＵの処理用のデータの保持を行うビデオＲＡＭである。
【００２２】
７はＣＣＤカメラにより取り込まれたビデオ画像の中から目的とする形状を抽出する形状抽出手段、８は通信手段からの圧縮符号化データの復号化及びＣＣＤカメラとビデオデジタイザ等の出力デジタルデータを符号化する画像音声符号化復号化手段、９は画像音声符号化復号化手段の音声出力を増幅するオーディオアンプ、１０は各種プログラムの実行を行うＣＰＵ、１１はＣＰＵと各制御手段の間のデータの仲介を行う入出力バスコントローラ、１２は表示装置前面の人物の距離の認識を行う赤外線受信手段、１３はプログラムの保存やデータの記憶を行うフラッシュメモリ等不揮発性の記憶手段である。
【００２３】
１４は認識手段で得られた情報および、壁面表示装置に表示するための描画情報、圧縮符号化情報を加入者回線を経由して送受信する通信制御手段である。
【００２４】
１５はオーディオアンプの出力を音声化するスピーカである。
【００２５】
このフレームメモリコントローラ５やＣＰＵ１０などが、検出された対象物情報に応じて、（１）対象物によりさえぎられた表示画面内の領域に表示していた表示画像を、該領域以外の別の領域に表示するために該表示画像の移動又は拡大或いは縮小の少なくとも何れか一方を行ったり、（２）先に表示していた表示画像を対象物によりさえぎられた表示画面内の領域に表示するために該表示画像の移動又は縮小の少なくとも何れか一方を行ったりする変更手段となっている。
【００２６】
以下に図を参照して動作説明を行う。図２は、本発明に係る表示装置である大画面高精細壁面ディスプレイを遠方から人物が観察している様子を示した図である。
【００２７】
図２に示すように、赤外線センサー群３等を備える高精細大型壁面ディスプレイ（以下、「表示装置」という）１は、（１）表示装置の前面近傍に人物の存在が検出し、（２）全面に表示されていた表示内容が上方に移動しつつ縦方向に縮小表示し、（３）残りの領域に移動した表示内容を引き継いだより詳細な表示内容を表示し、（４）全面表示の内容を補った効果的な広告を行う。
【００２８】
ここで、表示装置１には、遠方からも認識が可能な概略的なインパクトのある構成要素の大きな遠方用表示内容の画像が表示されている。
【００２９】
遠方用表示内容は構成する要素が大きすぎるため、接近して見た場合には意味の認識が難しいものであるが、逆に遠方から観察した場合の認識は容易なものである。
【００３０】
人物が遠方用表示内容に興味を持ち表示装置に接近し、表示装置表面からの距離があらかじめ定められた距離以内に近づくと赤外線センサー群３が反応し信号が赤外線受信手段１２、入出力バスコントローラ１１を経由してＣＰＵ１０に届けられ、ＣＰＵ１０は、不揮発性記憶手段１３に保存された信号の内容を判断するプログラムを実行する。
【００３１】
ＣＣＤカメラ２は、表示装置１前面の様子を広角で捉えており、ＣＣＤカメラ２の出力は、ビデオデジタイザ４がデジタル化し、フレームメモリコントローラ５によりビデオＲＡＭ６の非表示領域の作業エリアに格納されている。
【００３２】
ＣＰＵ１０は、赤外線センサー群３の出力信号の内容をプログラムの実行で判断すると、ビデオＲＡＭ６の非表示領域にあるＣＣＤカメラ２の出力データを判断するプログラムを実行する。
【００３３】
プログラムは、形状抽出手段７の設定を行い、形状抽出手段７は、ビデオＲＡＭ６の非表示領域の作業エリアにあるＣＣＤカメラ２の出力画像データの中から目的とする形状を抽出する。
【００３４】
この時、赤外線センサー群３の出力データの中に位置情報が含まれていた場合にはその部分のみを探し抽出の効率を向上させることが可能である。
【００３５】
形状抽出手段７により一定数以上の人物が検知され、さらに一定時間おいて同じ位置に対し再度ＣＣＤカメラ２により取り込まれ、ビデオＲＡＭ６の非表示領域の作業エリアに格納されたビデオ画像データの中から目的とする形状を抽出する形状抽出手段７により一定数以上の人物が検知された場合には、プログラムは一定数以上の人物が存在していると判断する。
【００３６】
ここで、ＣＰＵ１０は不揮発性記憶手段１３に保存された画面の構成を変更するプログラムを実行する。
【００３７】
プログラムは、ビデオＲＡＭ６の表示領域に形成されていた遠方から認識可能なインパクトのある大きな構成要素の遠方用表示内容を、フレームメモリコントローラ５のグラフィックデータの移動、形成及びビデオとの合成機能を用いて縦方向に縮小しつつ上方に移動させて行く。
【００３８】
さらにプログラムは、表示装置下方にできた空き表示領域に、赤外線センサー群３で認識可能な比較的近傍でも観賞に耐えうる、線が細く詳細な情報を提示可能な近傍用表示内容の画像を、フレームメモリコントローラ５のグラフィックデータの移動、形成及びビデオとの合成機能を用いて形成する。
【００３９】
表示内容は遠方用表示内容の概略的内容を補い、引き継いだものであり、より詳細な説明的な細かなグラフィック、さらに理解を深めるための動画を用いたプレゼンテーションなどを用いる。
【００４０】
このため情報量は格段に増え、遠方から見た場合には画が細かく線が細くさらに動くため認識不可能な場合であっても、近傍から見るため十分認識が可能である。
【００４１】
フレームメモリコントローラ５が画像を移動、形成及びビデオとの合成をする際には、プログラムは通信回線を利用してセンターと交信しグラフィック画像データや圧縮された自然画の動画像や静止画像の転送を受ける。
【００４２】
この際、同時に画面のレイアウトに関する情報を受け取りフレームメモリコントローラ５のグラフィックデータの移動及び形成及びビデオとの合成機能を用いて近傍用表示内容の画面をビデオＲＡＭ６上に順次形成する。
【００４３】
表示装置の前面の赤外センサー群３の認識領域内に、常に一定数以上の人物が存在する場合は、ＣＣＤカメラ２により取り込まれたビデオ画像データの中から目的とする形状を抽出する形状抽出手段７と赤外センサー群３は常に一定数以上の人物を認識しつづけるため、遠方用の表示画面は表示装置１の上方部分に縦に縮小された状態を維持しつづけることになる。
【００４４】
ＣＣＤカメラ２により取り込まれたビデオ画像データの中から目的とする形状を抽出する形状抽出手段７と赤外線センサー群３の出力データの中の一定数以上の人物の数に変化が見られた場合には、変化に対応した表示内容の更新が行われてもよい。
【００４５】
更新に際してフレームメモリコントローラ５が画像を移動、形成及びビデオとの合成をする場合には、プログラムは通信回線を利用してセンターと交信し人物の数の変化に対応したグラフィック画像データや圧縮された自然画の動画像や静止画像の転送を受ける。
【００４６】
この際、同時に人物の数の変化に対応した画面のレイアウトに関する情報を受け取り、フレームメモリコントローラ５のグラフィックデータの移動及び形成及びビデオとの合成機能を用いて更新された近傍用表示内容の画面をビデオＲＡＭ６上に順次形成することが可能である。
【００４７】
フレームメモリコントローラ５のグラフィックデータの移動及び形成及びビデオとの合成機能によりセンターから得られた画像情報を元に人物の数の変化に合わせて更新された適当な数のグラフィック及びビデオのウィンドウを合成することが可能である。
【００４８】
さらに、ＣＣＤカメラ２により取り込まれたビデオ画像データの中から目的とする形状を抽出する形状抽出手段７と赤外センサー群３の出力データにより一定数以上の人物に動きが検出され、動き出した一定数以上の人物の位置のある程度確実な認識が可能である。
【００４９】
ＣＣＤカメラ２により取り込まれたビデオ画像データの中から目的とする形状を抽出する形状抽出手段７により一定数以上の人物の動きが追尾可能な場合は、プログラムの制御下で通信回線を利用してセンターと交信しグラフィック画像データや圧縮された自然画の動画像や静止画像の転送を受け、フレームメモリコントローラ５のグラフィックデータ移動および形成およびビデオとの合成機能により、動き出した一定数以上の人物の興味を引くための近傍用表示内容とは別のウィンドウ画面を一定数以上の人物の近くに形成し人物の動きに合わせて、近傍用表示内容の画面の上を画面から画面に渡り歩かせるように制御してもよい。
【００５０】
次に、本発明の表示装置の動作をフローチャートを参照して説明する。図３〜図５は本発明の実施の形態に係る表示装置の動作を説明するためのフローチャートである。
【００５１】
以下にステップに従い各状態を説明する。はじめに、図３を参照してステップＳ１〜ステップＳ６について説明する。
【００５２】
図３に示すように、表示装置全面に遠方から認識可能な大きな構成要素の画像、つまり表示画像の物理サイズの大きな遠方用表示内容を表示する（ステップＳ１）。すなわち、遠方からの観察に対しては、遠方からも認識し易い構成要素の大きなダイナミックな画像を表示することで表示装置に観察者が接近するようにアピールする。
【００５３】
次に、表示装置前面近傍に人物が接近してきた場合、赤外線センサー群３により人物を検知する（ステップＳ２）。
【００５４】
赤外線センサー群３により人物を検知した場合、次に、表示装置から表示装置前方にいる人物までの距離を検出し、検出した距離が基準値より離れている場合は、遠方用表示内容のままステップＳ１の動作に戻り、検出した距離が基準値より近い場合はステップＳ４に進む（ステップＳ３）。
【００５５】
ステップＳ３において、検出した距離が基準値より近い場合は、例えば、形状抽出手段等により検出したものが人物か否かをその形状から判断し、人物でないと判断した場合は遠方用表示内容のままステップＳ１の動作に戻る。一方、前記形状抽出手段等により検出したものが人物であると判断した場合はステップＳ５に進む（ステップＳ４）。
【００５６】
ステップＳ４において、検出したものが人物であると判断された場合は、次にその人物の数が基準値以上か否かを判断し、基準値以下の人数であると判断した場合は近くの少数の人物に対する広告効果よりも離れた場所にいる多数の人物に対する広告効果を優先し遠方用表示内容のままでステップＳ１の動作に戻る。一方、検出した人物の数が基準値以上の人数であると判断した場合はステップＳ６に進む（ステップＳ５）。
【００５７】
ステップＳ５において、検出した人物の人数が基準値以上の人数であると判断された場合は、次にその人物が表示装置前面に滞在する時間が基準値より長いか否かを判断し、基準値より短い時間であると判断した場合は、表示装置前面を単に通り過ぎた人と考えられるので多数の人物に対する広告効果を優先し遠方用表示内容のままでステップＳ１の動作に戻る。一方、滞在する時間が基準値以上の時間であると判断した場合は、表示装置前面で待ち合わせをしている人物等であると考えられステップＳ７に進む（ステップＳ６）。
【００５８】
次に、図４を参照してステップＳ７〜ステップＳ１２について説明する。
【００５９】
ステップＳ７では、ステップＳ３〜ステップＳ６までに検出した表示装置前面に存在する対象物の情報を、通信制御手段１４により加入者回線を通じて広告等の表示内容を蓄積しているセンターと交信を行う。
【００６０】
ステップＳ８では、センターから近傍用に最適化された各種画像データや画面レイアウト等の情報を取得する。
【００６１】
ステップＳ９では、主に画像移動、画像形成及び合成手段による遠方用表示内容の上方への移動や縦方向の縮小を行うものであり、例えば、人物が接近した場合には、人物が存在しているか、どの位の距離かを認識し、ある程度近傍で存在していると判断された場合には、遠方用表示内容の画像が全体に縦方向を縮小されつつ上方に移動することで近傍用の表示内容を表示するためのスペースをつくる。
【００６２】
ステップＳ１０では、主にセンターとの交信で得た情報をもとに画像移動、画像形成及び合成手段による近傍用表示内容の描画を行うものであり、例えば、遠方用表示内容の画像が移動して空いたスペースに表示装置前面の近傍から鑑賞可能な詳細な画像を描画する。すなわち、表示装置下方の遠方用表示内容の画像が移動した後の観察者に近い部分には、遠方用表示内容の画像とは異なり、表示装置本来の解像度と高速応答の生きる詳細で情報量の多い画面が表示される。
【００６３】
また、上記の工程により、表示装置を遠方で観察して興味を持ち表示装置に接近してきた人物は遠方で観察していた情報に引き続いて、より詳細なかつ連続的な情報を入手することが可能になる。
【００６４】
そのため、単に遠方からのアピールだけを考慮した表示内容より情報量の多い広告効果の大きい表示内容を観察者に提供することができより効果的な宣伝が可能となる。
【００６５】
ステップＳ１１では、表示装置前面近傍の人物の数の変化を検出し、人数の変化がない場合はステップＳ１７に進む。一方、人物の数の変化がある場合はステップ１２に進む。
【００６６】
ステップＳ１２では、表示装置前面近傍に存在する人物の数が基準値以上か否かを判断し、基準値以下の人数であると判断した場合はステップＳ１７に進む。一方、基準値以上の人数であると判断した場合はステップＳ１３に進む。
【００６７】
次に、図５を参照してステップＳ１３〜ステップＳ１７について説明する。
【００６８】
ステップＳ１３では、表示装置前面近傍に存在する人物が滞在する時間が基準値より長いか否かを判断し、基準値より短い時間であると判断した場合はステップＳ１７に進む。一方、基準値より長い時間であると判断した場合はステップＳ１４に進む。
【００６９】
ステップＳ１４では、ステップＳ１１〜ステップＳ１３までに検出した表示装置前面に存在する対象物の情報を、通信制御手段１４により加入者回線を通じて広告等の表示内容を蓄積しているセンターと交信を行う。
【００７０】
ステップＳ１５では、センターから近傍用に最適化された各種画像データや画面レイアウト等の情報を取得する。
【００７１】
ステップＳ１６では、主にセンターとの交信で得た情報をもとに画像移動、画像形成及び合成手段による近傍用表示内容や表示レイアウトの変更を行うものであり、例えば、遠方用表示内容の画像が移動して空いたスペースに表示装置前面の近傍から鑑賞可能な詳細な画像を描画したり、表示装置前面にいる人の移動に伴って表示レイアウトの変更や移動をする。
【００７２】
上記ステップＳ１１〜ステップＳ１６の工程により、表示装置前面に存在する人物までの距離や人数、滞在時間に合わせて近傍用の表示内容を広告効果の高い内容やレイアウトに変更することができる。
【００７３】
ステップＳ１７では、赤外線センサー群３の認識範囲に人物がいるか否かを判断し、人物がいないと判断すれば近傍用表示内容から遠方用表示内容に変更すべくステップＳ１の動作に戻る。一方、認識範囲に人物がいると判断した場合は、再度ステップＳ１１の動作に戻り、所定の動作を繰り返すことになる。
【００７４】
以上説明したように、本発明によれば、遠方から観察している人物に対しては、遠方からも認識が可能なインパクトのある、構成要素の大きな表示内容を大きくダイナミックに表示し表示装置に接近するように遠方で観察している人物に遠方用表示内容の画面をアピールする。
【００７５】
そして、人物が表示装置に接近し始め、その後、表示装置前面のある程度近傍で存在していると判断された場合には、遠方用表示内容を、近傍に存在する人物を避けて表示するために、全体に縦方向を縮小しつつ上方に移動する。或いは、画面全体に拡大表示を行い、その一部が人物等によりさえぎられても、遠方から表示内容の概要が理解できるようにしてもよい。
【００７６】
また、表示装置下方の遠方用表示内容の画像が移動した後の部分には遠方用表示内容の画像とは異なり、表示装置本来の解像度と高速応答の生きる近傍でも観賞に耐えうる、線が細く詳細で豊富な情報を提示可能な動画を含む近傍用表示内容の画面が表示される。先の画像が画面全体に拡大表示されていた場合には、それを縮小し人物の前方の画面に移動することで、接近した人物がより表示内容を視認し、理解できるようにする。
【００７７】
これにより、表示装置を遠方で観察して興味を持ち表示装置に接近してきた人物は遠方で観察していた概略の情報に引き続いて、より詳細で豊富、かつ遠方用表示の内容を補った情報を入手することが可能になる。
【００７８】
また、このことは、単に遠方へのアピールだけを考慮した表示装置より情報量の多い広告効果の大きい表示を観察者に提供することができ、遠方用の表示内容と近傍用の表示内容の意味に連続性を持たせ近傍用表示内容の画像はより遠方用の概略的な部分を補う詳細で豊富な情報を持たせることでより効果的な宣伝広告が可能となる。
【００７９】
また、本発明の実施の形態には、次の実施態様も含まれる。
【００８０】
［実施態様１］
表示画像をその画像サイズ又はその表示位置の少なくとも何れか一方を異ならしめて表示可能な表示画面を有する表示器と、
該表示画面の前方に存在する対象物と該表示画面との距離情報を含む対象物情報を検出する検出手段と、
該検出手段により検出された前記対象物情報に応じて、前記対象物によりさえぎられた前記表示画面内の領域に表示していた表示画像を、該領域以外の別の領域に表示するために該表示画像の移動又は拡大或いは縮小の少なくとも何れか一方を行う変更手段と、
を具備することを特徴とする表示装置。
【００８１】
［実施態様２］
表示画像をその画像サイズ又はその表示位置の少なくとも何れか一方を異ならしめて表示可能な表示画面を有する表示器と、
該表示画面の前方に存在する対象物と該表示画面との距離情報を含む対象物情報を検出する検出手段と、
該検出手段により検出された前記対象物情報に応じて、先に表示していた表示画像を前記対象物によりさえぎられた前記表示画面内の領域に表示するために該表示画像の移動又は縮小の少なくとも何れか一方を行う変更手段と、
を具備することを特徴とする表示装置。
【００８２】
［実施態様３］
前記変更手段は、前記表示画像を上方に移動可能であることを特徴とする実施態様１または２に記載の表示装置。
【００８３】
［実施態様４］
前記検出手段が検出する対象物情報は、表示装置の前方の領域に対象物が存在する時間であることを特徴とする実施態様１乃至３のいずれかに記載の表示装置。
【００８４】
［実施態様５］
前記検出手段が検出する対象物情報は、表示装置の前方の領域に存在する対象物の数であることを特徴とする実施態様１乃至４のいずれかに記載の表示装置。
【００８５】
［実施態様６］
表示器の表示画面に、表示画像をその画像サイズ又はその表示位置の少なくとも何れか一方を異ならしめて表示可能な表示制御方法において、
該表示画面の前方に存在する対象物と該表示画面との距離情報を含む対象物情報を検出する検出工程と、
検出された前記対象物情報に応じて、前記対象物によりさえぎられた前記表示画面内の領域に表示していた表示画像を、該領域以外の別の領域に表示するために該表示画像の移動又は拡大或いは縮小の少なくとも何れか一方を行う変更工程と、
を含むことを特徴とする表示制御方法。
【００８６】
［実施態様７］
表示器の表示画面に、表示画像をその画像サイズ又はその表示位置の少なくとも何れか一方を異ならしめて表示可能な表示制御方法において、
該表示画面の前方に存在する対象物と該表示画面との距離情報を含む対象物情報を検出する検出工程と、
検出された前記対象物情報に応じて、先に表示していた表示画像を前記対象物によりさえぎられた前記表示画面内の領域に表示するために該表示画像の移動又は縮小の少なくとも何れか一方を行う変更工程と、
を含むことを特徴とする表示制御方法。
【００８７】
［実施態様８］
前記変更工程は、前記表示画像を上方に移動可能であることを特徴とする実施態様６または７に記載の表示装置。
【００８８】
［実施態様９］
前記検出工程が検出する対象物情報は、表示装置の前方の領域に対象物が存在する時間であることを特徴とする実施態様６乃至８のいずれかに記載の表示装置。
【００８９】
［実施態様１０］
前記検出工程が検出する対象物情報は、表示装置の前方の領域に存在する対象物の数であることを特徴とする実施態様６乃至１０のいずれかに記載の表示装置。
【００９０】
【発明の効果】
以上説明したように、本発明によれば、遠方用表示内容と近傍用表示内容の画像を変更することで、遠方からの観察者及び近傍からの観察者の両者に対して高い広告効果を得ることができる。
【図面の簡単な説明】
【図１】本発明に係る表示装置の構成の概略を示したブロック図である。
【図２】本発明に係る表示装置である大画面高精細壁面ディスプレイをある程度遠方から人物が観察している様子を示した図である。
【図３】本発明の実施の形態に係る表示装置の動作を説明するためのフローチャートである。
【図４】本発明の実施の形態に係る表示装置の動作を説明するためのフローチャートである。
【図５】本発明の実施の形態に係る表示装置の動作を説明するためのフローチャートである。
【符号の説明】
１  表示装置
２  ＣＣＤカメラ
３  赤外センサー群
４  ビデオデジタイザ
５  フレームメモリコントローラ
６  ビデオＲＡＭ
７  形状抽出手段
８  符号化復号化手段
９  オーディオアンプ
１０  ＣＰＵ
１１  入出力バスコントローラ
１２  赤外線受信手段
１３  不揮発性記憶手段
１４  通信制御手段
１５  スピーカ
【図１】
2004294637.tif 000003
【図２】
2004294637.tif 000004
【図３】
2004294637.tif 000005
【図４】
2004294637.tif 000006
【図５】
2004294637.tif 000007
【手続補正書】
【提出日】平成16年6月16日(2004.6.16)
【手続補正１】
【補正対象書類名】明細書
【補正対象項目名】特許請求の範囲
【補正方法】変更
【補正の内容】
【特許請求の範囲】
【請求項１】
表示画像をその画像サイズ又はその表示位置の少なくとも何れか一方を異ならしめて表示可能な表示画面を有する表示器と、
該表示画面の前方に存在する対象物と該表示画面との距離情報を含む対象物情報を検出する検出手段と、
該検出手段により検出された前記対象物情報に応じて、前記対象物によりさえぎられた前記表示画面内の領域に表示していた表示画像を、該領域以外の別の領域に表示するために該表示画像の移動又は拡大或いは縮小の少なくとも何れか一方を行う変更手段と、
を具備することを特徴とする表示装置。
【請求項２】
表示画像をその画像サイズ又はその表示位置の少なくとも何れか一方を異ならしめて表示可能な表示画面を有する表示器と、
該表示画面の前方に存在する対象物と該表示画面との距離情報を含む対象物情報を検出する検出手段と、
該検出手段により検出された前記対象物情報に応じて、先に表示していた表示画像を前記対象物によりさえぎられた前記表示画面内の領域に表示するために該表示画像の移動又は縮小の少なくとも何れか一方を行う変更手段と、
を具備することを特徴とする表示装置。
【請求項３】
表示器の表示画面に、表示画像をその画像サイズ又はその表示位置の少なくとも何れか一方を異ならしめて表示可能な表示制御方法において、
該表示画面の前方に存在する対象物と該表示画面との距離情報を含む対象物情報を検出する検出工程と、
検出された前記対象物情報に応じて、前記対象物によりさえぎられた前記表示画面内の領域に表示していた表示画像を、該領域以外の別の領域に表示するために該表示画像の移動又は拡大或いは縮小の少なくとも何れか一方を行う変更工程と、
を含むことを特徴とする表示制御方法。
【請求項４】
表示器の表示画面に、表示画像をその画像サイズ又はその表示位置の少なくとも何れか一方を異ならしめて表示可能な表示制御方法において、
該表示画面の前方に存在する対象物と該表示画面との距離情報を含む対象物情報を検出する検出工程と、
検出された前記対象物情報に応じて、先に表示していた表示画像を前記対象物によりさえぎられた前記表示画面内の領域に表示するために該表示画像の移動又は縮小の少なくとも何れか一方を行う変更工程と、
を含むことを特徴とする表示制御方法。
【請求項５】
前記対象物は人物であり、前記対象物情報は人物情報である請求項１または２に記載の表示装置。
【請求項６】
前記対象物は人物であり、前記対象物情報は人物情報である請求項３または４に記載の表示制御方法。